(57)【特許請求の範囲】
【請求項１】
耳掛け装着方式のヘッドホンにおいて、
スピーカユニットが内蔵され、前面側に上記スピーカユニットの放音部を有し、背面側が凸面状に突出したハウジング部で覆われているヘッドホン本体部を備え
上記ハウジング部に、上記ヘッドホン本体部の略中心を通る法線に対して、回動中心軸を４５度以内に傾けた回動軸部と、上記回動軸部に支持され、且つ上記放音部側に位置されるようにした耳掛けアーム部と、を設けた
ことを特徴とするヘッドホン。
【請求項２】
請求項１記載のヘッドホンにおいて、
上記回動軸部は、捩りばねのばね力により回動復帰方向に付勢されている
ことを特徴とするヘッドホン。
【請求項３】
請求項１記載のヘッドホンにおいて、
上記回動軸部に、回動方向の範囲を規制する回動範囲規制手段と、上記回動軸部の回動方向の回動をロックする回動位置ロック手段と、を設けた
ことを特徴とするヘッドホン。
【請求項４】
請求項１記載のヘッドホンにおいて、
上記耳掛けアーム部は、上記回動軸部に一端が連結され、且つ他端が上記放音部側に延出されて耳部に装着される形状とした
ことを特徴とするヘッドホン。
【請求項５】
請求項１記載のヘッドホンにおいて、
上記耳掛けアーム部の先端には、丸みを帯びた形状に形成された保護端部を設けた
ことを特徴とするヘッドホン。
【発明の詳細な説明】
【０００１】
【発明の属する技術分野】
本発明は、ヘッドバンドを不要にした耳掛け装着方式のヘッドホンに関し、詳しくは、ヘッドホン本体部の中心軸に対し偏心した回動軸部を介して耳掛けアームを回動可能に構成したことにより、ヘッドホンの装着性を向上できるようにしたものである。
【０００２】
【従来の技術】
近年、若者を中心とした個性化の時代が進むにつれ、ヘッドホン業界にあってもそのデザインを重視した製品への要求はさらに高まってきている。耳掛け装着方式のヘッドホンの場合でも、従来の博物館等のガイド用や国際会議等での屋内使用のような機能重視のイメージではなく、屋外使用でのファッション性を重視したものが強く求められてきている。しかし、屋外での使用においては、例えば電車の乗り換え時等、安全上の理由からヘッドホンを素早く取り外したり、挿着できるようにすることも重要である。
【０００３】
ここで、図１４に従来の耳掛け装着方式のヘッドホンの一例を示す。ヘッドホンハウジング３０内には図示しないスピーカユニットが内蔵され、ヘッドホンハウジング３０の一側面側がイヤーパッド３１が取り付けられた放音部側である。耳掛けアーム３２はヘッドホンハウジング３０の背面側に固定部３３によって結合され、耳に巻き付けられる形状に曲げ加工されてイヤーパッド３１の前面側に配置されている。また、耳掛けアーム３２はプラスチック成形材からなり、それ自身の弾性変形力を利用しイヤーパッド に対し接離可能にされている。尚、符号３４はヘッドホンハウジング３０から引き出されているコードである。
【０００４】
上述した耳掛け装着方式のヘッドホンは、耳掛けアーム３２をイヤーパッド３１から離れる方向に撓ませた状態で耳掛けアームを耳部に掛けることによって、ヘッドホンの自重が耳掛けアーム３２で支持されと共に、耳掛けアーム３２とイヤーパッド３１とで耳部ｅが挟み付けられ、図１５に示すようにヘッドホンの挿着状態となる。
【０００５】
また、図１６〜図１８に従来の耳掛け装着方式のヘッドホンの別の例を示す。このヘッドホンはヘッドホンハウジング３５に対して耳掛けアーム３６が支点部３７を中心として回動可能にされてイヤーパッド３８の前面側に位置しており、耳掛けアーム３６は支点部３７に備えた図示しないばね部材によりイヤーパッド３８側へばね付勢されている。
【０００６】
また、図１９〜図２１は上述した図１６〜図１８に示したヘッドホンとは、ヘッドホンハウジング３５に対して耳掛けアーム３６の支点部３７の取り付け角度が異なる例である。
【０００７】
さらに、図２２に従来の耳掛け装着方式のヘッドホンのさらに別の例を示す。このヘッドホンは耳部に形状に沿った縦長楕円状の環状耳掛け部３９と、ヘッドホンハウジングが保持されるリング状の保持部４０とがプラスチック成形材によって一体に成形され、保持部４０にはスピーカユニットを内蔵したヘッドホンハウジング４１が放音部を内側にして保持されている。そして、保持部４０は環状耳掛け部３９に対して手前側に段差状に隆起させ、環状耳掛け部３９との間に上下方向に隙間ｇが生じるようにされている。
【０００８】
このように構成した耳掛け装着方式のヘッドホンは、環状耳掛け部３９を矢印の方向から耳部に隙間ｇを挿通することによって、環状耳掛け部３９が耳部に支持されヘッドホンの挿着状態となる。
【０００９】
【発明が解決しようとする課題】
ところで、図１４に示したヘッドホンの挿着操作は、片手でヘッドホンハウジング３０を持ち、もう一方の片手で耳掛けアーム３２をヘッドホンハウジング３０から離間するように広げながら、双方の間に生じた隙間を耳部に差し込み挟み込むようにしているので、ヘッドホンの挿着に手数を要し煩わしいといった問題がある。また、ヘッドホン挿着完了後の隙間は、ヘッドホンの自重による耳掛けアーム３２の撓みを考慮して初期荷重を与えるように狭く設定する必要があり、このような構造では耳掛けアーム３２の固定部３３側では隙間が狭く、先端部側では隙間が大きく開くようになるので、固定部３３側で挟まれた耳部が圧迫されて痛くなり長時間の使用には問題があった。
【００１０】
また、図１６に示したヘッドホンは、ヘッドホンハウジング３５に対して耳掛けアーム３６が平行になる部分でしか耳部を均一に保持することしかできず、図１４に示したヘッドホンの場合と同様に耳掛けアーム３６の支点部３７側では隙間が狭く、先端部側では隙間が大きく開くようになるので、例えば、図１７に示したように支点部３７から耳掛けアーム３６の曲り部までの距離が標準サイズＬのヘッドホンを大きな耳に装着した場合には、支点部３７側で挟まれた耳部が圧迫されて痛みが生じ易かった。また、図１８に示したように支点部３７から耳掛けアーム３６の曲り部までの距離が大きな耳用のサイズＬ1 のヘッドホンを小さな耳に装着した場合には、ヘッドホンハウジング３５と支点部３７との間に隙間が生じることになり、このため、ヘッドホンハウジング３５が耳部に密着されず、音漏れや音質の低下が生じるといった問題がある。
【００１１】
尚、図１９に示したヘッドホンの場合でも耳掛けアーム３６の支点部３７側では図２０に示すように隙間が狭く、先端部側では隙間が大きく開くようになるので、図１６のヘッドホンの場合と同様に支点部３７から耳掛けアーム３６の曲り部までの距離が標準サイズＬのヘッドホンを大きな耳に装着した場合には、支点部３７側で挟まれた耳部が圧迫されて痛みが生じ易く、また、図２１に示したように支点部３７から耳掛けアーム３６の曲り部までの距離が大きな耳用のサイズＬ1 のヘッドホンを小さな耳に装着した場合には、ヘッドホンハウジング３５と支点部３７側との間に広い隙間が生じることになり、ヘッドホンハウジング３５が耳部に密着されず、音漏れや音質の低下が生じるといった問題がある。
【００１２】
一方、図２２に示したヘッドホンは、環状耳掛け部３９と保持部４０との間の隙間ｇは耳部が通せる程度の隙間となっている。このため、ヘンドホンの挿着状態においてヘッドホンハウジング４１が耳部に密着されず、音漏れや音質の低下が生じたり、挿着が不安定となりヘッドホンが外れ易いといった問題がある。
【００１３】
本発明は、上述したような課題を解消するためになされたもので、ヘッドホンの挿着操作が極めて容易となり、かつヘッドホンの耳部への挿着追従性を高め長時間の使用にも何ら支障のない耳掛け装着方式のヘッドホンを得ることを目的とする。
【００１４】
【課題を解決するための手段】
上述の目的を達成するため本発明によるヘッドホンは、凸面状に突出したハウジング部の背面側にヘッドホン本体部の略中心に対して、回動中心軸を４５度以内に傾けて回動軸部を回動可能に設け、この回動軸部に耳掛けアーム部を取り付けるようにしたものである。
【００１５】
このように構成したヘッドホンによれば、耳掛けアーム部を回動軸部を中心として回動させることで、ヘッドホン本体部に対し耳掛けアーム部は螺旋状に平行に離間する動作が行える。従って、耳掛けアーム部を回動した状態において、耳掛けアーム部を耳部に引っ掛け、この後、耳掛けアーム部を逆回動させることによって、耳掛けアーム部がヘッドホン本体部側に平行に接近する動作によって、耳掛けアーム部とヘッドホン本体部とで耳部が均一に挟み付けられると同時に、ヘッドホン本体部が耳部に密着しヘッドホンの保持状態となる。
【００１６】
ヘッドホンを取り外すときは、耳掛けアーム部をヘッドホン本体部から平行に離間させる方向に回動させ、この後、耳掛けアーム部を引き上げることで耳部から取り外すことができる。
【００１７】
【発明の実施の形態】
以下、本発明による耳掛け装着方式のヘッドホンの実施の形態を図面を参照して説明する。
【００１８】
図１は挿着前のヘッドホンの斜視図，図２は同じく側面図、図３は耳掛けアーム部を回動させて耳部に挿着するときのヘッドホンの斜視図、図４は同じく側面図、図５はヘッドホンの拡大断面図である。
【００１９】
ヘッドホン本体部１内にはスピーカユニット２が嵌合部１ａによって保持された状態で内蔵され、このスピーカユニット２の放音部２ａ側はスポンジ状のイヤーパッド３で覆われている。
【００２０】
ヘッドホン本体部１の背面側は凸面状のハウジング４で覆われ、ハウジング４に円盤状の回動軸部５が設けられている。ここで、回動軸部５はヘッドホン本体部１の中心の法線Ｏに対し、θ度偏心したＯ1 を回動中心としてハウジング４に支持された軸支持部材６に反時計周り方向に回動可能に支持されている。回動軸部５の偏心角度θは４５度以内に設定されている。
【００２１】
そして、上述した回動軸部５に支持部７を介してプラスチック成形品等からなる耳掛けアーム８が取り付けられている。この耳掛けアーム８はハウジング４側から放音部２ａ側のイヤーパッド３の前面側に延出され、耳部（耳介）に装着される形状にされている。また、耳掛けアーム８の先端部は丸みを帯びた保護端部８ａに形成されている。
【００２２】
かくして、耳掛けアーム８は回動軸部５と共にＯ1 を回動中心としてハウジング４側から見て反時計周り方向に回動可能にされており、その回動範囲は規制されている。これを図６について説明する。
【００２３】
軸支持部材６には所定角度範囲にガイド溝９が形成され、このガイド溝９に回動軸部５から突出したガイド突起１０が係合されている。従って、回動軸部５はガイド溝９内をガイド突起１０が移動できる範囲回動可能である。
【００２４】
耳掛けアーム８が回動前の位置、つまり、図１及び図２に示すように耳掛けアーム８がイヤーパッド３の前面側にほぼ接しているときには、回動軸部５のガイド突起１０は図６に示すようにガイド溝９の一端部９ａの位置にある。耳掛けアーム８が回動されると、図３及び図４に示すように耳掛けアーム８はイヤーパッド３の前面側から離間し、耳掛けアーム８の耳部への装着可能位置となり、回動軸部５のガイド突起１０がガイド溝９の他端部９ｂに突き当たり規制される。この際、ガイド突起１０はその端部がガイド溝９の端部に形成した狭小部１１に圧入係合されて一時的にロックさせることができる回動位置ロック手段を備えている。
【００２５】
ここで、重要なことは耳掛けアーム８は、回動軸部５と共に耳部への装着可能位置に回動されたときイヤーパッド３の前面側から螺旋状に平行に離間し、また、回動軸部５と共に逆回動されたときイヤーパッド３の前面側に螺旋状に平行に接近する動作が行われる。これは、回動軸部５がハウジング４の中心の法線Ｏに対し、４５度以内に偏心したＯ1 を中心として回動可能に設定されていることによって、耳掛けアーム８が回動しても、耳掛けアーム８とハンジング４への取り付け平面との傾きが変化しないこと、さらに、回動軸部５が図７に示すようにヘッドホンの装着位置においてハウジング４の前方上部に位置していることによって可能となる。例えば、回動軸部５がハウジング４の中心の法線Ｏに対し、４５度以上の偏心角度に設けられている場合では、耳掛けアーム８を回動したとき、イヤーパッド３に対して螺旋状に平行に耳掛けアーム８が離間せず、イヤーパッド３と耳掛けアーム８とで耳部の全体を均一な保持圧で挟み付けることができず、耳掛けアーム８による耳部の圧迫による苦痛や音漏れ、音質の低下となる。
【００２６】
一方、回動軸部５にはコイルスプリングからなる捩じりばね１２が備えてある。捩じりばね１２は回動軸部５の筒部内に配置され、捩じりばね１２の一端部１２ａが回動軸部５側に支持され、他端部１２ｂがヘッドホン本体部１側に支持されている。
【００２７】
従って、耳掛けアーム８が回動軸部５と共に図３及び図４に示した位置に回動操作されると、捩じりばね１２が巻き締められてばね力を発生させた状態で上述したガイド突起１０が回動位置ロック手段であるガイド溝９の狭小部１１に圧入係合され一時的にロックされる。かくして、耳掛けアーム８は僅かに復帰方向に押し戻されることで狭小部１１からガイド突起１０のロックが解除され、捩じりばね１２の復帰力によって回動軸部５と共に耳掛けアーム８が逆転し図１及び図２に示した位置に復帰するようにされている。尚、符号１３はハウジング４から引き出されているコードである。
【００２８】
上述のように構成したヘッドホンの装着操作は次のように行われる。まず、図１及び図２の状態から耳掛けアーム８を回動規制位置まで回動させる。これによって、耳掛けアーム８は図３及び図４に示すようにイヤーパッド３から螺旋状に平行に離間された状態で回動位置ロック手段により一時的にロックされる。この状態で耳掛けアーム８を耳部に掛け止めした後、耳掛けアーム８のロックを解除すれば、耳掛けアーム８が捩じりばね１２のばね力により復帰することで、耳掛けアーム８とイヤーパッド３とで耳部の全体が適度な保持力で均一に挟み付けられると共に、イヤーパッドが耳部に密着しヘッドホンの装着状態となる。
【００２９】
すなわち、上述した本発明によるヘッドホンによれば、さまざまな大きさの耳部に違和感なく確実に装着することができると共に、音漏れがなく音質の向上を図ることができ、しかも、長時間の装着に対しても苦痛を感じることもない。
【００３０】
ヘッドホンの取り外し操作については、耳掛けアーム８を再び回動規制位置まで回動させることによって、耳掛けアーム８とイヤーパッド３とが離間されて耳部の挟み付けが解除されることになり、この後、耳掛けアーム８を耳部から引き上げることによって容易に取り外すことができる。
【００３１】
図８〜図１０に耳掛けアーム８の回動位置ロック手段の別の例を示す。尚、図５に示した構成部分と同一部分には同じ符号を付して説明する。
【００３２】
これによれば、回動軸部５の筒部内に配置された捩じりばね１４は捩じり方向と同時に伸び方向にばね作用が付与され、回動軸部５は捩じりばね１４によって軸支持部材６に対して突出する位置にばね付勢されている。また、回動軸部５の筒部には突起１５が設けられ、これに対してハウジング４側に係合段部１６が形成されている。
【００３３】
このように構成した回動位置ロック手段は、図示しない耳掛けアームが捩じりばね１４を巻き締めて回動移動範囲まで回動させると、図９に示したように回動軸部５の突起部１５がハウシング４側の係止段部１６に嵌合され、回動軸部５と共に耳掛けアームが一時的にロックできるようになっている。耳掛けアーム８のロック解除は、回動軸部５を押しながら耳掛けアームを逆転させることによって、突起部１５が係止段部１６から離脱しロック解除される。この後、捩じりばね１４の復帰ばね力によって耳掛けアームは元の位置に回動し、耳掛けアームとイヤーパッドとで耳部が挟み付けられヘッドホンが装着される動作が行われる。
【００３４】
本発明によるヘッドホンの別の形態例を図１１に示す。
これによれば、ヘッドホンの放音部を覆ったイヤーパッド１８とは反対側のハウジング１９に支持部２０が支点軸２１によって回動可能に取り付けられ、支持部２０に耳掛けアーム２２が取り付けられイヤーパッド１８の前面側に配置されている。そして、この支点軸２１の回動中心Ｏ1 はヘッドホンの中心の法線Ｏに対し４５度前後に偏心した位置にされている。尚、この場合の耳掛けアーム２２も回動位置から元の位置に戻るときハウジング１９内に配置した図示しないばね部材により復帰するようにされている。
【００３５】
このように構成したヘッドホンの場合も耳掛けアーム２２が回動されると、図１２に示すようにイヤーパッド１８の前面側に対して耳掛けアーム２２を螺旋状に平行に離間させることができ、これによって、図１に示したヘッドホンと同様に耳掛けアーム２２とイヤーパッド１８とで耳部の全体が均一に挟み付けられ、イヤーパッド１８が耳部に密着し音漏れや音質の低下のないヘッドホンとなる。
【００３６】
また、ヘッドホンのさらに別の形態例を図１３に示す。
これによれば、ヘッドホンの放音部を覆ったイヤーパッド２３とは反対側のハウジング２４に、イヤーパッド２３の前面側に臨むように支持部２５が取り付けられ、固定部２５に耳掛けアーム２６が回動可能に支持されイヤーパッド２３の前面側に配置されている。
【００３７】
上述したヘッドホンの場合では、耳掛けアーム２６は仮想線で示したようにイヤーパッド２３の前面側とほぼ平行で外周側に回動されるようになるので、ヘッドホンの装着状態において耳掛けアーム２６とイヤーパッド２３とで耳部の全体が均一に挟み付けられ、イヤーパッド２３が耳部に密着し音漏れや音質の低下のないヘッドホンとなる。
【００３８】
【発明の効果】
以上説明したように本発明によるヘッドホンは、ハウジング部の背面側にヘッドホン本体部の中心に対し４５度以内の偏心した位置に回動軸部を回動可能に設け、この回動軸部に耳掛けアーム部を取り付けるようにしたので、ヘッドホンの装着操作に際して耳掛けアームを回動したときヘッドホン本体部に対して螺旋状に平行に離間させることができ、これによって、耳掛けアームの装着性が向上できる。しかも、さまざまな大きさの耳部に違和感なく確実に装着することができると共に、音漏れがなく音質の向上を図ることができ、さらに、長時間の装着に対しても苦痛を感じることもない。
【００３９】
また、回動軸部にその回動復帰方向に対しばね性を備えたことによって、耳部への耳掛けアームの保持が容易となり、ヘッドホンの装着を素早く行うことができる。
【００４０】
さらに、回動軸部に回動範囲規制手段及び回動位置ロック手段を備えたことによって、ヘッドホンの装着時の取扱い及び装着性を向上することができる。
【図面の簡単な説明】
【図１】本発明によるヘッドホンの装着前の外観斜視図である。
【図２】同じく図１のヘッドホンを後方側から見た側面図である。
【図３】耳掛けアームを装着位置に回動したヘッドホンの外観斜視図である。
【図４】同じく図３のヘッドホンを後方側から見た側面図である。
【図５】ヘッドホンの拡大断面図である。
【図６】回動軸部の回動範囲規制手段と回動位置ロック手段のである。
【図７】ハウジングに対する回動軸部の理想的な位置を示す説明図である。
【図８】回動軸部の回動位置ロック手段の別の例を示したヘッドホンの拡大断面図である。
【図９】図８の回動位置ロック手段による回動軸部のロック状態の図である。
【図１０】同じく回動軸部のロック解除状態の図である。
【図１１】本発明によるヘッドホンの別の形態例の外観斜視図である。
【図１２】同じく耳掛けアームを装着位置に回動したヘッドホンの外観斜視図である。
【図１３】本発明によるヘッドホンのさらに別の形態例の外観斜視図である。
【図１４】従来のヘッドホンの外観斜視図である。
【図１５】同じく従来のヘッドホンの装着状態の正面図である。
【図１６】従来の別のヘッドホンの正面図である。
【図１７】同じくヘッドホンが大きな耳に装着された場合の平面図である。
【図１８】同じくヘッドホンが小さな耳に装着された場合の平面図である。
【図１９】従来のさらに別のヘッドホンの正面図である。
【図２０】同じくヘッドホンが大きな耳に装着された場合の側面図である。
【図２１】同じくヘッドホンが小さな耳に装着された場合の側面図である。
【図２２】従来のさらに異なるヘッドホンの外観斜視図である。
【符号の説明】
１…ヘッドホン本体部、２…スピーカユニット、３…イヤーパッド、４…ハウジング、５…回動軸部、６…軸支持部材、７…支持部、８…耳掛けアーム、９…ガイド溝、１０…ガイド突起、１１…ガイド溝の狭小部、１２，１４…捩じりばね、１５…突起部、１６…係止段部、１８，２３…イヤーパッド、１９，２４…ハウジング、２０，２５…支持部、２１…支点軸、２２，２６…耳掛けアーム
【図１】
0004103267.tif 000002
【図２】
0004103267.tif 000003
【図３】
0004103267.tif 000004
【図４】
0004103267.tif 000005
【図５】
0004103267.tif 000006
【図６】
0004103267.tif 000007
【図７】
0004103267.tif 000008
【図８】
0004103267.tif 000009
【図９】
0004103267.tif 000010
【図１０】
0004103267.tif 000011
【図１１】
0004103267.tif 000012
【図１２】
0004103267.tif 000013
【図１３】
0004103267.tif 000014
【図１４】
0004103267.tif 000015
【図１５】
0004103267.tif 000016
【図１６】
0004103267.tif 000017
【図１７】
0004103267.tif 000018
【図１８】
0004103267.tif 000019
【図１９】
0004103267.tif 000020
【図２０】
0004103267.tif 000021
【図２１】
0004103267.tif 000022
【図２２】
0004103267.tif 000023